(57)【特許請求の範囲】
【請求項１】
円周方向の幾何学的形状を示すハンドピースを作動させるための医療機器であって、
前記医療機器は、
内側スリーブと、
前記内側スリーブの内表面に沿って円周方向に配された複数の導電性のパッドと、
内側スリーブの外側に配された作動性の外側スリーブと、
内側スリーブとの接触が外側スリーブの少なくとも一部に加えられる外部の力によって制御可能な内部回路とを含み、内部回路は内側スリーブの内部に配され、かつ前記導電性のパッドによって接触されたときに、当該医療機器を作動させるように構成されてなり、
前記医療機器は、前記外側スリーブから外側に放射状に突出する複数のリブを更に含み、当該複数のリブはおのおの対応する前記複数の導電性のパッドの一つと円周方向に整列され、かつ当該医療機器を作動するために前記内部回路に対して対応する前記導電性のパッドを押せるように、手で放射状に内側に押されるように構成されてなる
ことを特徴とする医療機器。
【請求項２】
前記医療機器は医療用レーザーを含み、
前記内部回路は、レーザーのヒートシンクのコアに永久的に取り付けられるフレキシブル電子回路であり、
前記内側スリーブは、前記複数のパッドを有する弾性膜を含み、前記複数のパッドは前記内部回路と接触しておらず、前記複数のパッドは導電性インクで塗られ、
前記複数のパッドはリブに対応し、
前記複数のパッドは、外部の力がリブの少なくとも１つに加えられると、内部回路と接触するように配されることを特徴とする請求項１に記載の医療機器。
【請求項３】
前記内側スリーブは前記複数の導電性のパッドを含み、
前記リブは通常、前記リブにほとんどなんの力も加えられない際に前記複数のパッドが前記内部回路と接触しない停止状態にあって、
前記リブは、前記リブに外部の力が加えられると、前記複数のパッドを変形させて前記内部回路に接触するように置くように構成され、
前記リブは、外部の力が取り除かれると停止状態に戻るように構成され、それによって瞬間的なスイッチ機能を提供することを特徴とする請求項１に記載の医療機器。
【請求項４】
前記外側スリーブは取り外し可能な覆いに取り付けられた外膜を含み、覆いは取り外され、別々に滅菌されることができることを特徴とする請求項３に記載の医療機器。
【請求項５】
前記外膜はシリコンを含むことを特徴とする請求項４に記載の医療機器。
【請求項６】
前記複数のリブは約６０度で間隔をおいて配置された６つのリブを含み、リブは約１インチから約２インチに及ぶ長さを有することを特徴とする請求項１に記載の医療機器。
【請求項７】
円筒形状を有し、円周方向の幾何学的形状を示すハンドピースの形状の器具類のための医療機器であって、
前記医療機器は、
前記円筒形状を有するハンドピースの外側スリーブの周りを円周方向に離間して配され、該外側スリーブから放射状に外側に突出する複数のリブを含み、当該複数のリブは、指の検知と器具類の作動に適した触覚感覚を有し、
前記医療機器は、さらに、
ハンドピース内部に配される電子回路、
リブと電子回路の間に配される内側スリーブを含み、内側スリーブは、外部の力がリブの少なくとも１つに加えられると、電子回路に接触するように構成され、
前記複数のリブのおのおのは、手で放射状に内側に押されるように構成され、前記複数のリブのおのおのは、前記内側スリーブを押して前記電子回路と接触し、当該医療機器を作動してなることを特徴とする医療機器。
【請求項８】
電子回路はフレキシブル電子回路を含み、
リブはハンドピースの円周の周りに間隔をおいて配されることを特徴とする請求項７に記載の医療機器。
【請求項９】
前記リブは前記ハンドピースの円周の周りにほぼ等しく間隔をおいて配され、
前記内側スリーブは、前記複数の導電性のパッドを有する弾性膜を含み、前記複数の導電性のパッドは導電性材料でコーティングされ、
前記内部パッドは、外部の力がリブの少なくとも１つに加えられると、前記リブと合わせられ、前記電子回路と接触するように配されることを特徴とする請求項８に記載の医療機器。
【請求項１０】
前記導電性材料は導電性インクであることを特徴とする請求項９に記載の医療機器。
【請求項１１】
前記複数のリブは、前記ハンドピースの円周の周りにほぼ等しく間隔をおいて配された約６つのリブを含むことを特徴とする請求項９に記載の医療機器。
【請求項１２】
前記リブは約１インチから約２インチに及ぶ長さを有することを特徴とする請求項１１に記載の医療機器。
【発明の詳細な説明】
【技術分野】
【０００１】
（関連出願の相互参照）
この出願は、「ＨＡＮＤＰＩＥＣＥＳ  ＦＩＮＧＥＲ  ＳＷＩＴＣＨ  ＦＯＲ  ＬＡＳＥＲ  ＡＣＴＵＡＴＩＯＮ」と題された、２０１０年１月６日に出願された米国仮特許出願第６１／２９２，６９７号（Ａｔｔ．ＤｏｃｋｅｔＢＩ８３４８ＰＲ）の利益を主張するものであり、この内容はすべて引用によって本明細書に組み込まれる。
【背景技術】
【０００２】
１．発明の分野
本発明は一般的に、携帯型の医療機器、より具体的には、携帯型の医療機器の作動を容易にするための装置に関する。
【０００３】
２．関連技術の詳細
医療用の工具および／またはレーザーハンドピースを作動させる典型的な方法は、器具の効果的な操作と最適な利用を妨害するか、または、少なくとも邪魔をする。歯科用レーザー治療の文脈、例えば、特に複雑になりかねない口腔内での操作のなどのようないくつかの状況下での医療用装置（例えば、カッター）の作動は、例えば、ユーザーが、装置を作動させる能力を失うことなく、装置の握りおよび／または装置の再配置を変える必要がある際に、問題を引き起こすことがある。
【０００４】
医療用装置を作動させる既知の１つの方法は、医療用装置（例えば、レーザーハンドピース）の側部に指スイッチを配置する工程を含む。しかしながら、指スイッチの使用は、使用している最中にユーザが装置の握りおよび／またはそのような装置の回転を容易に変えるのを妨げ、それによって、装置（例えば、レーザー）の有用性または使用性を低下させる。
【０００５】
足踏みスイッチ（ｆｏｏｔ  ｓｗｉｔｃｈ）の組み立て体などでの遠隔作動のために構成されたスイッチは、いくつかの環境ではこの問題に対処するが、関連する出願または他の出願に関してすでに適所にある複数の構成要素（例えば、スイッチ）にさらなるハードウェア（例えば、フットペタル）を加えなければならないということを犠牲にする。ほとんどの外科／臨床の手術室で大変な努力が不動産（ｒｅａｌ  ｅｓｔａｔｅ）（例えば、床および／またはカウンタースペース）を維持するために、多大な努力が費やされ、そのような解決策は当該産業のユーザーからさほど肯定的には迎えられないことがある。
【０００６】
足踏みスイッチによって必要とされるような高価な手術室スペースを犠牲にする必要なく、使用中に、例えば、携帯型の医療機器の最適なおよび／または効率的な再配置を可能にする医療機器の作動の方法について、こうした必要性が先行技術に存在する。複雑な臨床的環境下で、器具の最適なおよび／または効率的な操作を可能にする作動方法のさらなる必要性が存在する。
【発明の概要】
【課題を解決するための手段】
【０００７】
本発明は、医療機器に、円周方向の幾何学的形状を示すハンドピースを供給することによってこれらの必要性に対処する。１つの実施形態によれば、本明細書に開示される発明は、内側スリーブ、内側スリーブの外側に配された作動性の外側スリーブ、内側スリーブとの接触が外側スリーブの少なくとも一部に加えられる外部の力によって制御可能な内部回路とを含み、内部回路は内側スリーブの内部に配される。
【０００８】
別の実施形態によれば、外側スリーブは、触角感覚を有する複数のリブを含んでもよく、リブはハンドピースの軸方向に配され、外部の力がリブの少なくとも１つに加えられると、内側スリーブの一部に力を加えるように構成されている。
【０００９】
例として、医療機器は、医療用レーザーを含んでもよく、内部回路は、レーザーのヒートシンクのコアに永久的に取り付けられるフレキシブル電子回路であってもよい。さらに、内側スリーブは、導電性インクで塗られた複数の内部パッドを有する弾性膜を含んでもよく、内部パッドは通常、内部回路と接触していない。内部パッドはリブに対応してもよく、内部パッドは、外部の力がリブの少なくとも１つに加えられると、内部回路と接触するように配されてもよい。
【００１０】
装置と方法が、機能的な説明を備えた文法的な流動性のために記載されたか、記載される一方で、特許請求の範囲は、他に明記されない限りは、「手段」または「工程」の限定の構造によって、いかなるようにも限定されるものとみなされるものではなく、均等物の司法の教義の下で特許請求の範囲によって提供される定義の意味と均等物の完全な範囲にふさわしいものであるということがはっきりと分かるはずである。
【００１１】
本明細書で記載または参照された特徴または特徴の組み合わせは、そのような組み合わせに含まれる特徴が、文脈、本明細書、および、当業者の知識から明らかなように相互に矛盾したものではなければ、本発明の範囲内に含まれる。さらに、記載または参照される任意の特徴または特徴の組み合わせは、本発明の任意の実施形態から特別に除外されてもよい。本発明を要約する目的のために、本発明の特定の態様、利点および新規な特徴が記載および参照される。もちろん、そのような態様、利点または特徴のすべてが必ずしも本発明の任意の特定の実施において具体化される必要がないということがわかる。本発明の追加の利点および態様は、以下に続く詳細な記載および特許請求の範囲で明白である。
【図面の簡単な説明】
【００１２】
【図１】本発明の実施形態の構成要素を示す、医療用レーザーハンドピースの一部を切り取った図である。
【図２】図１の医療用レーザーハンドピースの２−２’に沿って得られた断面図である。
【図３】図１の医療用レーザーハンドピースの分解図である。
【図４】医療機器を制御するために本発明の実施形態を操作する方法の実施を例証するフローチャートである。
【発明を実施するための形態】
【００１３】
本発明の実施形態は添付の図面に記載され、示されるが、この図面の例は、実施によっては一定の縮尺で拡大縮小されるべきと解釈され、一方で、他の実施においては、例えば、一定の縮尺で拡大縮小される必要はないと解釈される。特定の態様では、図面および記載中の類似の参照番号または同じ参照番号を使用することは、同じ、よく似た、または、類似の構成要素および／または要素のことを指しているが、他の実施によれば、同じ参照番号を使用しても、同じ構成要素および／または要素を指してはならないことがある。特定の実施によって、上部、底部、左、右、上へ、下へ、上方に（ｏｖｅｒ、ａｂｏｖｅ）、下方に（ｂｅｌｏｗ、ｂｅｈｉｎｄ）、後方に、および、前方に、などといった方向を示す用語は、文字通り解釈されるが、他の実施においては、同様の使用が文字通り解釈されてはならないことがある。本発明は、当該技術で従来使用される様々な装置と技術とともに実行され、一般的に実施される工程段階の限られたものだけが本発明についての理解を提供するのに必要であるように、本明細書内に含まれる。本発明は一般的に医療用の装置と工程の分野で適用可能性を有する。しかしながら、説明の目的のために、以下の記載は歯科用レーザー装置に関する。
【００１４】
さらに具体的に図面を参照すると、図１は、描かれる具現化に関連して、本発明の典型的な構築物／組み立て体による構成要素を説明する歯科用レーザーハンドピース（１００）として具体化される、手動のカッターまたは処置装置といった医療用装置または機器の断面図である。ハンドピース（１００）は、一般的に、幾分テーパー状をした、および／または、ユーザーの手（例えば、片手）によって握られ制御されるような大きさと形状をした、軸方向に対称的な（例えば、名目上は円筒状の）形状を有する。例証される実施形態は、触角感覚を有する、および／または、外側スリーブ（１１０）とハンドピース（１００）の１以上で、軸方向に、すなわち、長手方向に、または、縦方向に配された複数のリブ（１１５）を含むおよび／または収容する。１つの典型的な実施形態によれば、複数のリブ（１１５）は、ハンドピース（１００）のまわりで約６０度で間隔をおいて配置された６つのリブを含み、そのリブ（１１５）は、人差し指の長さの約３分の１または２分の１伸張する構造、および／または、約１インチから約２インチまでの長さの構造を含むことができる。例証された実施形態は、外側スリーブ（１１０）に囲まれる内側スリーブ（１２５）をさらに含む。内側スリーブ（１２５）は、外側スリーブの複数のリブ（１１５）の１つ以上の位置の一部またはすべてに対応する位置にある複数の内部パッド（１３０）で形成されてもよく、パッド（１３０）は、内側スリーブ（１２５）の残りから内部に伸張する。内部パッド（１３０）の内表面（１３５）は、導電性材料、例えば、導電性インクでコーティングされてもよい。フレキシブル電子回路（１４０）は内側スリーブ（１２５）の内部に配されてもよく、複数の内部パッド（１３０）および複数のリブ（１１５）と合わせられてもよい。複数のリブ（１１５）の各々は、リブ（１１５）の１つに力が加えられると、その内表面に、内側スリーブ（１２５）に力を加えるために配されたアクチュエータプランジャー（ａｃｔｕａｔｏｒ  ｐｌｕｎｇｅｒ）（１２０）を形成したかもしれない。このように、リブ（１１５）の１つ以上に加えられる力が、内部パッド（１３０）の少なくとも１つの内表面（１３５）をフレキシブル電子回路（１４０）と接触させてもよく、その接触は、ハンドピース（１００）がその一部である医療機器を作動させるために使用されてもよい。すなわち、リブ（１１５）の１つ以上に外部の力を加えることで、医療機器装置、例えば、医療用レーザーを作動させてもよい。外部の力を取り除くことでリブ（１１５）を停止状態として（ａｓｓｕｍｅ）、それによって、内側スリーブ（１３０）の電子回路（１４０）と内表面（１３５）の間の接触を断ち、医療機器装置を停止させることが可能であってもよい。
【００１５】
図２は、図１のハンドピース（１００）の線２−２’に沿って得られた断面図であり、ハンドピース（１００）は医療機器、例えば、医療用レーザー（図示せず）の一部である。図２は内部に形成された複数のリブ（１１５）で作動性の外側スリーブ（１１０）を例証する。フレキシブル電子回路（１４０）は、ハンドピース（１００）の内部に配され、医療用レーザーのヒートシンクのコアを囲み、１つの実施形態によると、該コアにわたって永久的に取り付けられ、内側スリーブ（１２５）はリブと電子回路（１４０）の間に配される。内側スリーブ（１２５）の一部として形成される複数の内部パッド（１３０）は、リブ（１１５）とフレキシブル電子回路（１４０）の間に位置付けられる。触角感覚を有するリブ（１１５）は、対応する複数のアクチュエータープランジャー（１２０）の外部に位置し、アクチュエータープランジャー（１２０）は、同じく複数の内部パッド（１３０）の外部に位置してもよい。内部パッド（１３０）の内表面（１３５）は導電性インクでコーティングされてもよい。複数のリブ（１１５）の１つ以上に外部の力を加えることで、リブ（１１５）は変形し（外部の力が加えられる間、変形したままである）、それによって、アクチュエータープランジャー（１２０）を内側スリーブ（１２５）に押しつけてもよい。とりわけ、内部パッド（１３０）とのリブ（１１５）の並びにより、外部の力が加えられると、内部パッド（１３０）の内表面（１３５）はフレキシブル電子回路（１４０）と接触させられてもよい。この接触は医療機器の作動（例えば、起動）を開始してもよく、外部の力を取り除くことで医療用装置の動作が停止してもよい。
【００１６】
実質的にリブ（１１５）になんの力も加えられない際には、リブ（１１５）は通常、停止状態（または、条件）にあることは明らかである。リブ（１１５）はリブ（１１５）に加えられた力に反応して変形するように構成されてもよく、この力は例えば、指で、ハンドピース（１００）をただ押すことによって生じるものでもよい。外部の（例えば、押す）力が、例えば、ハンドピース（１００）の握りを緩めることで取り除かれると、リブ（１１５）は停止状態に戻り、それによって、内側スリーブの導電性表面（１３５）とフレキシブル電子回路（１４０）の間の接触が断たれてもよい。この押す／取り除く動作は、医療用レーザーの例示されたハンドピースなどの手動の医療用装置または機器に、瞬間的なスイッチ機能を提供してもよい。
【００１７】
図３は、図１と図２のハンドピース（１００）の実施形態の分解図である。触角感覚と作動の容易さのためにリブ（示されず）を含む外側スリーブ（１１０）は、図３において取り外し可能であると実証され、内側スリーブ（１２５）を晒している。図３に示されていないが、導電性表面（１３５）を有する内部パッド（１３０）は、内側スリーブ（１２５）の内表面に形成される。取り外し可能な外側スリーブ（１１０）は外膜（１４５）を含んでもよく、外膜はシリコーン材料から作られてもよい。そのため、取り外し可能な外側スリーブ（１１０）は、例えば、オートクレーブで取り外され、かつ、滅菌され、さらに置き換えられることが可能な外殻を構成してもよい。外側スリーブ（１１０）のオス形部分（１４５）とハンドピースのメス型部分（１５０）によって形成された連動設計は、外側スリーブ（１１０）上のリブ（１１５）を、内部パッド（１３０）と適切に合わせるように作用してもよい。
【００１８】
図４は、医療用装置を制御するために、本発明の実施形態を操作する方法の実施を例証するフローチャートである。実施は、ハンドピースの外表面に軸方向に配された複数のリブを有する医療用レーザーハンドピースを提供することによって、工程（２００）で始まる。例えば、図１、２および３は、工程（２００）で提供される医療用レーザーハンドピース（１００）を表現した３つを示している。レーザーはリブの少なくとも１つに力を加えることにより、工程（２０５）で起動されてもよい。典型的には、ハンドピースはユーザーの手に握られ、それによって、ハンドピースをただ押すだけで、自然にかつ都合よく力を加えることができ、ハンドピースの形状とリブの位置は、多くの方向に手の中で自然と収まる。レーザーがアクティブな間、ハンドピースの握りを変える必要はなく、任意の適切な医療または歯科手順に従って、レーザーを容易に動かしたり、操作したり（例えば、等しく操作する）することができる。レーザーの動作を停止するために、ハンドピースを押す力を緩めることで、工程（２１０）で力を取り除いてもよい。再度レーザーの起動または動作停止のいずれかを遂行するために、ハンドピースの基本的な握りを変える必要はない。
【００１９】
本発明の１つの特徴によれば、出力先端部（例えば図３）は、出力部の幅、組成、断面形状および／または出力密度の変化といった機能性の変化のために、および／または、洗浄／オートクレーブ処理のために、異なる出力先端部でのスイッチの切り替えを可能にするように交換可能である。ハンドピースによって放射される電磁エネルギーは、レーザーエネルギーおよび／または可視光線を含み、切断、除去、遊休物質の活用（ｄｅｓｔｅｒｉｌｉｚａｔｉｏｎ）、細菌の減少、生物刺激（例えば、低レベルの光線療法）、凝固、リモデリング、カリエス検知または処置、および、（例えば、可視光線による）照明の１以上を提供または促進するように動作する。特定の実施において、電磁エネルギーは、切除の電磁エネルギー源、および／または、照明の電磁エネルギー源、および／または、組織破壊の電磁エネルギー源、および／または、生物刺激の電磁エネルギー源の１以上を含むことができる。標的表面は、例えば、歯組織、硬骨、軟骨、および、皮膚または鼻腔組織のような軟組織の１つ以上を含んでもよい。
【００２０】
本発明の特定の態様によれば、エネルギー出力は、硬組織切除電磁エネルギー、低レベル光線療法（ＬＬＬＴ）電磁エネルギー、組織バイオ刺激電磁エネルギー、可視電磁エネルギー、可干渉光、約２．６９乃至約２．８０ミクロンの範囲内の波長と約２．９４ミクロンの波長の１以上、および、Ｅｒ：ＹＡＧレーザー、Ｅｒ：ＹＳＧＧレーザー、Ｅｒ、Ｃｒ：ＹＳＧＧレーザー、ならびに、ＣＴＥ：ＹＡＧレーザーの１以上によって生成される電磁エネルギーの１つ以上を含むことができる。
【００２１】
１つの実施では、構造（例えば、カニューレまたはオリフィス）は、出力先端部の遠位端の方向に液体を配向するように構成されることができる。例えば、出力先端部の外表面（例えば、外表面全体、または、外表面のほぼ全体、遠位端部の近く）に沿って遠位に流体を送ることができる。別の実施では、流体は、電磁エネルギー導波管（例えば、光ファイバー）の外表面と、カニューレの内表面との間に配された１つ以上の間隙を通して供給されてもよい。流体は液体であるか、または、液体とガスの組み合わせを含んでもよい。特定の実施において、液体は水であるか、または、水を含み、他の実施では、液体は空気と水の両方であるか、空気と水の両方を含み、例えば、空気と水は、間隙の前または間隙の内部で一緒に混合可能である。例えば、流体は、加圧された空気と水の混合物から形成されるか、または、流体出力部から出るために間隙を通って送達される、霧状の流体粒子を含むことができる。
【００２２】
他の実施によれば、装置は、装置の遠位端の近接で流体を放出するように構成される流体出力部を含むことができ、ここで、流体出力部は、ある体積にした霧状の流体粒子を標的表面上に配するように構成されたアトマイザーを含む。さらに、電磁エネルギー導波管は、比較的大量のエネルギーを標的表面上の該体積の霧状流体粒子に加え、それによって、霧状の流体粒子を拡張し、かつ、標的表面に破壊的な力を与えるように構成される。
【００２３】
本発明の別の態様によれば、医療用ハンドピースは、ハンドピース筐体と、ハンドピース筐体内に配されるとともにハンドピース筐体の遠位端から電磁エネルギーを放出するのに適した電磁エネルギー源とを含む。照明源は、ハンドピース筐体の遠位端から標的表面上に光を投影するために、ハンドピース筐体内に配置される。照明源は光ファイバーの束を含んでもよい。薬物線（ｍｅｄｉｃａｔｉｏｎ  ｌｉｎｅ）も、薬物をハンドピース筐体の遠位端を通って標的表面上に出力するために、ハンドピース筐体内に配されてもよい。
【００２４】
言及された出力および機能のいずれか１つ以上（例えば、すべて）のような出力および／または機能のいずれか１つ以上は、対応する１以上のリブによって独立して作動させることができてもよい。例えば、異なるリブは異なる機能を提供してもよい。ハンドピースに軸方向に配されるリブに加えて、および／または、このリブの代わりに、リブのいずれか１つ以上がハンドピースに放射状に配されてもよい。リブの１以上のいずれかは、他のリブとは異なる形状、（例えば、軸の、放射状の、または、その組み合わせの）整列、および／または、テクスチャを含んでもよく、および／または、異なる形状または組織のいずれか１つ以上は、出力または機能のいずれか１つ以上に対応してもよい。
【００２５】
特定の実施により、トランク繊維からのレーザーエネルギーは、電源または処理ファイバー（ｔｒｅａｔｍｅｎｔ  ｆｉｂｅｒ）から出力されるとともに、例えば、標的表面（例えば、歯、骨、軟骨、および、軟組織の１つ以上）上のハンドピースの流体出力部から放出される流体（例えば、ハンドピースの出力端近くの水道および／または噴霧接続部からの、気体噴霧および／または水噴霧、または、流体粒子の霧状分布）へと向けられる。流体出力部は、例えば、米国特許出願第１１／０４２，８２４号と米国仮出願第６０／６０１，４１５号に記載されているように、出力ファイバーの周りに同心状に配された複数の流体出力部を含んでもよい。出力または処理ファイバーは、約２．６９から約２．８０ミクロンまでの範囲内の波長、および、約２．９４ミクロンの波長の１つ以上を含む電磁エネルギー源につながれてもよい。特定の実施では、出力ファイバーは、Ｅｒ：ＹＡＧレーザー、Ｅｒ：ＹＳＧＧレーザー、Ｅｒ、Ｃｒ：ＹＳＧＧレーザー、および、ＣＴＥ：ＹＡＧレーザーの１つ以上に結合されてもよく、特定の例では、約２．７８９ミクロンの波長を有するＥｒ，Ｃｒ：ＹＳＧＧ固体レーザー、および、約２．９４０ミクロンの波長を有するＥｒ：ＹＡＧ固体レーザーの１つに結合されてもよい。標的表面上の流体粒子の霧状分布へと電磁エネルギーを方向づけるために対応する構造を含む装置は、以下に参考文献として載せられた特許出願第５，５７４，２４７号で開示され、この文献は、レーザーエネルギーを流体粒子に与えることによって、標的表面に破壊的な力を加えることについて記載している。
【００２６】
本明細書の開示によって、標的表面を診断し、モニタし、および／または、標的表面に影響を与えるのに有用な電磁放射を出力できるレーザー組み立て体が記載されてきた。光ファイバーの先端の放射線を用いる手順の場合、プローブは、管内などの歯の構造を処置（例えば、切除）するために、処置用放射線を標的表面に送るための１以上の出力または処理ファイバーを含むことができる。本明細書に記載の実施形態のいずれかにおいて、照明および／または診断のための光は、処置用の放射線の送達および／または流体出力部からの流体の送達と同時に、または、断続的に、または、別々に送信される。
【００２７】
バイオレイズテクノロジー，インクに譲渡された以下の特許に記載されている、対応するまたは関連する構造および方法は、それら全体を引用することによって本明細書に組み込まれ、このような組み込みは、この開示による本発明の任意の部分、特許または以下の出願の任意の部分、および、当業者の知識と判断とともに、または、これらと組み合わせて、全体的にまたは部分的に、（ｉ）使用可能であり、（ｉｉ）使用可能となるように当業者によって修正され、および／または、（ｉｉｉ）実施され／使用される。
【００２８】
そのような特許は、以下のものを含むが、これらに限定されない。「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題された特許第７，５７８，６２２号；「Ｆｉｂｅｒ  ｔｉｐ  ｄｅｔｅｃｔｏｒ  ａｐｐａｒａｔｕｓ  ａｎｄ  ｒｅｌａｔｅｄ  ｍｅｔｈｏｄｓ」と題された特許第７，５７５，３８１号；「Ｈａｎｄｐｉｅｃｅｓ  ｈａｖｉｎｇ  ｉｌｌｕｍｉｎａｔｉｏｎ  ａｎｄ  ｌａｓｅｒ  ｏｕｔｐｕｔｓ」と題された特許第７，５６３，２２６号；「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題された特許第７，４６７，９４６号；「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題された特許第７，４６１，９８２号；「Ｍｅｔｈｏｄｓ  ｆｏｒ  ｔｒｅａｔｉｎｇ  ｅｙｅ  ｃｏｎｄｉｔｉｏｎｓ」と題された特許第７，４６１，６５８号；「Ｍｅｔｈｏｄｓ  ｆｏｒ  ｔｒｅａｔｉｎｇ  ｅｙｅ  ｃｏｎｄｉｔｉｏｎｓ」と題された特許第７，４５８，３８０号；「Ｆｉｂｅｒ  ｔｉｐ  ｆｌｕｉｄ  ｏｕｔｐｕｔ  ｄｅｖｉｃｅ」と題された特許第７，４２４，１９９号；「Ｍｏｄｉｆｉｅｄ−ｏｕｔｐｕｔ  ｆｉｂｅｒ  ｏｐｔｉｃ  ｔｉｐｓ」と題された特許第７，４２１，１８６号；「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題された特許第７，４１５，０５０号；「Ｔａｐｅｒｅｄ  ｆｕｓｅｄ  ｗａｖｅｇｕｉｄｅ  ｆｏｒ  ｄｅｌｉｖｅｒｉｎｇ  ｔｒｅａｔｍｅｎｔ  ｅｌｅｃｔｒｏｍａｇｎｅｔｉｃ  ｒａｄｉａｔｉｏｎ  ｔｏｗａｒｄ  ａ  ｔａｒｇｅｔ  ｓｕｒｆａｃｅ」と題された特許第７，３８４，４１９号；「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」と題された特許第７，３５６，２０８号；「Ｆｌｕｉｄ  ａｎｄ  ｌａｓｅｒ  ｓｙｓｔｅｍ」と題された特許第７，３２０，５９４号；「Ｃａｒｉｅｓ  ｄｅｔｅｃｔｉｏｎ  ｕｓｉｎｇ  ｔｉｍｉｎｇ  ｄｉｆｆｅｒｅｎｔｉａｌｓ  ｂｅｔｗｅｅｎ  ｅｘｃｉｔａｔｉｏｎ  ａｎｄ  ｒｅｔｕｒｎ  ｐｕｌｓｅｓ」と題された特許第７，３０３，３９７号；「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題された特許第７，２９２，７５９号；「Ｆｉｂｅｒ  ｔｉｐ  ｄｅｔｅｃｔｏｒ  ａｐｐａｒａｔｕｓ  ａｎｄ  ｒｅｌａｔｅｄ  ｍｅｔｈｏｄｓ」と題された特許第７，２９０，９４０号；「Ｈｉｇｈ−ｅｆｆｉｃｉｅｎｃｙ，  ｓｉｄｅ−ｐｕｍｐｅｄ  ｄｉｏｄｅ  ｌａｓｅｒ  ｓｙｓｔｅｍ」と題された特許第７，２８８，０８６号；「Ｒａｄｉａｔｉｏｎ  ｅｍｉｔｔｉｎｇ  ａｐｐａｒａｔｕｓ  ｗｉｔｈ  ｓｐａｔｉａｌｌｙ  ｃｏｎｔｒｏｌｌａｂｌｅ  ｏｕｔｐｕｔ  ｅｎｅｒｇｙ  ｄｉｓｔｒｉｂｕｔｉｏｎｓ」と題された���許第７，２７０，６５７号；「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題された特許第７，２６１，５５８号；「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」と題された特許第７，１９４，１８０号；「Ｆｉｂｅｒ  ｔｉｐ  ｆｌｕｉｄ  ｏｕｔｐｕｔ  ｄｅｖｉｃｅ」と題された特許第７，１８７，８２２号；「Ｄｅｖｉｃｅ  ｆｏｒ  ｄｅｎｔａｌ  ｃａｒｅ  ａｎｄ  ｗｈｉｔｅｎｉｎｇ」と題された特許第７，１４４，２４９号；「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題された特許第７，１０８，６９３号；「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」と題された特許第７，０６８，９１２号；「Ｒａｄｉａｔｉｏｎ  ｅｍｉｔｔｉｎｇ  ａｐｐａｒａｔｕｓ  ｗｉｔｈ  ｓｐａｔｉａｌｌｙ  ｃｏｎｔｒｏｌｌａｂｌｅ  ｏｕｔｐｕｔ  ｅｎｅｒｇｙ  ｄｉｓｔｒｉｂｕｔｉｏｎｓ」と題された特許第６，９４２，６５８号；「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」と題された特許第６，８２９，４２７号；「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｃｕｔｔｉｎｇ」と題された特許第６，８２１，２７２号；「Ｄｅｖｉｃｅ  ｆｏｒ  ｒｅｄｕｃｔｉｏｎ  ｏｆ  ｔｈｅｒｍａｌ  ｌｅｎｓｉｎｇ」と題された特許第６，７４４，７９０号；「Ｔｉｓｓｕｅ  ｒｅｍｏｖｅｒ  ａｎｄ  ｍｅｔｈｏｄ」と題された特許第６，６６９，６８５号；「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題された特許第６，６１６，４５１号；「Ｄｅｖｉｃｅ  ｆｏｒ  ｄｅｎｔａｌ  ｃａｒｅ  ａｎｄ  ｗｈｉｔｅｎｉｎｇ」と題された特許第６，６１６，４４７号；「Ｍｅｔｈｏｄｓ  ｏｆ  ｕｓｉｎｇ  ａｔｏｍｉｚｅｄ  ｐａｒｔｉｃｌｅｓ  ｆｏｒ  ｅｌｅｃｔｒｏｍａｇｎｅｔｉｃａｌｌｙ  ｉｎｄｕｃｅｄ  ｃｕｔｔｉｎｇ」と題された特許第６，６１０，０５３号；「Ｆｉｂｅｒ  ｔｉｐ  ｆｌｕｉｄ  ｏｕｔｐｕｔ  ｄｅｖｉｃｅ」と題された特許第６，５６７，５８２号；「Ｆｌｕｉｄ  ｃｏｎｄｉｔｉｏｎｉｎｇ  ｓｙｓｔｅｍ」と題された特許第６，５６１，８０３号；「Ｅｌｅｃｔｒｏｍａｇｎｅｔｉｃａｌｌｙ  ｉｎｄｕｃｅｄ  ｃｕｔｔｉｎｇ  ｗｉｔｈ  ａｔｏｍｉｚｅｄ  ｆｌｕｉｄ  ｐａｒｔｉｃｌｅｓ  ｆｏｒ  ｄｅｒｍａｔｏｌｏｇｉｃａｌ  ａｐｐｌｉｃａｔｉｏｎｓ」と題された特許第６，５４４，２５６号；「Ｌｉｇｈｔ−ａｃｔｉｖａｔｅｄ  ｈａｉｒ  ｔｒｅａｔｍｅｎｔ  ａｎｄ  ｒｅｍｏｖａｌ  ｄｅｖｉｃｅ」と題された特許第６，５３３，７７５号；「Ｒｏｔａｔｉｎｇ  ｈａｎｄｐｉｅｃｅ」と題された特許第６，３８９，１９３号；「Ｆｌｕｉｄ  ｃｏｎｄｉｔｉ��ｎｉｎｇ  ｓｙｓｔｅｍ」と題された特許第６，３５０，１２３号；「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題された特許第６，２８８，４９９号；「Ｔｉｓｓｕｅ  ｒｅｍｏｖｅｒ  ａｎｄ  ｍｅｔｈｏｄ」と題された特許第６，２５４，５９７；「Ｍａｔｅｒｉａｌ  ｒｅｍｏｖｅｒ  ａｎｄ  ｍｅｔｈｏｄ」と題された特許第６，２３１，５６７号；「Ｄｅｎｔａｌ  ａｎｄ  ｍｅｄｉｃａｌ  ｐｒｏｃｅｄｕｒｅｓ  ｅｍｐｌｏｙｉｎｇ  ｌａｓｅｒ  ｒａｄｉａｔｉｏｎ」と題された特許第６，０８６，３６７；「Ｕｓｅｒ  ｐｒｏｇｒａｍｍａｂｌｅ  ｃｏｍｂｉｎａｔｉｏｎ  ｏｆ  ａｔｏｍｉｚｅｄ  ｐａｒｔｉｃｌｅｓ  ｆｏｒ  ｅｌｅｃｔｒｏｍａｇｎｅｔｉｃａｌｌｙ  ｉｎｄｕｃｅｄ  ｃｕｔｔｉｎｇ」と題された特許第５，９６８，０３７号；「Ｆｌｕｉｄ  ｃｏｎｄｉｔｉｏｎｉｎｇ  ｓｙｓｔｅｍ」と題された特許第５，７８５，５２１号；および、「Ａｔｏｍｉｚｅｄ  ｆｌｕｉｄ  ｐａｒｔｉｃｌｅｓ  ｆｏｒ  ｅｌｅｃｔｒｏｍａｇｎｅｔｉｃａｌｌｙ  ｉｎｄｕｃｅｄ  ｃｕｔｔｉｎｇ」と題された特許第５，７４１，２４７号。
【００２９】
さらに、上記開示と参照された事項と、および、引用されたページに書かれた記載は、以下で公開された出願およびそのなかで引用された事項で全体的にまたは部分的に記載された、対応するまたは関連する構造と方法によって全体的または部分的に動作可能な、または、動作可能なように修正可能であることを意図している。該出願は以下のごとく列挙される。「Ｗｒｉｓｔ−ｍｏｕｎｔｅｄ  ｌａｓｅｒ  ｗｉｔｈ  ａｎｉｍａｔｅｄ，  ｐａｇｅ−ｂａｓｅｄ  ｇｒａｐｈｉｃａｌ  ｕｓｅｒ−ｉｎｔｅｒｆａｃｅ」と題された特許公開公報第２００９０２２５０６０号；「Ｍｅｄｉｃａｌ  ｌａｓｅｒ  ｈａｖｉｎｇ  ｃｏｎｔｒｏｌｌｅｄ−ｔｅｍｐｅｒａｔｕｒｅ  ａｎｄ  ｓｔｅｒｉｌｉｚｅｄ  ｆｌｕｉｄ  ｏｕｔｐｕｔ」と題された特許公開公報第２００９０１４３７７５号；「Ｄｕａｌ  ｐｕｌｓｅ−ｗｉｄｔｈ  ｍｅｄｉｃａｌ  ｌａｓｅｒ  ｗｉｔｈ  ｐｒｅｓｅｔｓ」と題された特許公開公報第２００９０１４１７５２号；「Ｄｒｉｌｌ  ａｎｄ  ｆｌａｖｏｒｅｄ  ｆｌｕｉｄ  ｐａｒｔｉｃｌｅｓ  ｃｏｍｂｉｎａｔｉｏｎ」と題された特許公開公報第２００９０１０５７０７号；「Ｆｌｕｉｄ  ａｎｄ  ｐｕｌｓｅｄ  ｅｎｅｒｇｙ  ｏｕｔｐｕｔ  ｓｙｓｔｅｍ」と題された特許公開公報第２００９０１０４５８０号；「Ｆｉｂｅｒ  ｔｉｐ  ｆｌｕｉｄ  ｏｕｔｐｕｔ  ｄｅｖｉｃｅ」と題された特許公開公報第２００９００７６４９０号；「Ｐｒｏｂｅｓ  ａｎｄ  ｂｉｏｆｌｕｉｄｓ  ｆｏｒ  ｔｒｅａｔｉｎｇ  ａｎｄ  ｒｅｍｏｖｉｎｇ  ｄｅｐｏｓｉｔｓ  ｆｒｏｍ  ｔｉｓｓｕｅ  ｓｕｒｆａｃｅｓ」と題された特許公開公報第２００９００７５２２９号；「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題された特許公開公報第２００９００６７１８９号；「Ｍｅｔｈｏｄｓ  ｆｏｒ  ｔｒｅａｔｉｎｇ  ｅｙｅ  ｃｏｎｄｉｔｉｏｎｓ  ｗｉｔｈ  ｌｏｗ−ｌｅｖｅｌ  ｌｉｇｈｔ  ｔｈｅｒａｐｙ」と題された特許公開公報第２００９００６２７７９号；「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題された特許公開公報第２００９００５６０４４号；「Ｅｌｅｃｔｒｏｍａｇｎｅｔｉｃ  ｅｎｅｒｇｙ  ｄｉｓｔｒｉｂｕｔｉｏｎｓ  ｆｏｒ  Ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題された特許公開公報第２００９００４３３６４号；「Ｆｌｕｉｄ  ｃｏｎｔｒｏｌｌａｂｌｅ  ｌａｓｅｒ  ｅｎｄｏｄｏｎｔｉｃ  ｃｌｅａｎｉｎｇ  ａｎｄ  ｄｉｓｉｎｆｅｃｔｉｎｇ  ｓｙｓｔｅｍ」と題された特許公開公報第２００９００４２１７１号；「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｔｒａｎｓｐａｒｅｎｔ  ｄｅｎｔｉｆｒｉｃｅ  ｓｙｓｔｅｍ」と題された特許公開公報第２００９００３５７１７号；「Ｔｒａｎｓｐａｒｅｎｔ  ｄｅｎｔｉｆｒｉｃｅ  ｆｏｒ  ｕｓｅ  ｗｉｔｈ  ｅｌｅｃｔｒｏｍａｇｎｅｔｉｃ  ｒａｄｉａｔｉｏｎ  ｅｍｉｔｔｉｎｇ  ｔｏｏｔｈ���ｒｕｓｈ  ｓｙｓｔｅｍ」と題された特許公開公報第２００９００３１５１５号；「Ｍｏｄｉｆｉｅｄ−ｏｕｔｐｕｔ  ｆｉｂｅｒ  ｏｐｔｉｃ  ｔｉｐｓ」と題された特許公開公報第２００８０３１７４２９号；「Ｍｅｔｈｏｄ  ａｎｄ  ａｐｐａｒａｔｕｓ  ｆｏｒ  ｃｏｎｔｒｏｌｌｉｎｇ  ａｎ  ｅｌｅｃｔｒｏｍａｇｎｅｔｉｃ  ｅｎｅｒｇｙ  ｏｕｔｐｕｔ  ｓｙｓｔｅｍ」と題された特許公開公報第２００８０２７６１９２号；「Ｒａｄｉａｔｉｏｎ  ｅｍｉｔｔｉｎｇ  ａｐｐａｒａｔｕｓ  ｗｉｔｈ  ｓｐａｔｉａｌｌｙ  ｃｏｎｔｒｏｌｌａｂｌｅ  ｏｕｔｐｕｔ  ｅｎｅｒｇｙ  ｄｉｓｔｒｉｂｕｔｉｏｎｓ」と題された特許公開公報第２００８０２４０１７２号；「Ｍｕｌｔｉｐｌｅ  ｆｉｂｅｒ−ｔｙｐｅ  ｔｉｓｓｕｅ  ｔｒｅａｔｍｅｎｔ  ｄｅｖｉｃｅ  ａｎｄ  ｒｅｌａｔｅｄ  ｍｅｔｈｏｄ」と題された特許公開公報第２００８０２２１５５８号；「Ｍｏｄｉｆｉｅｄ−ｏｕｔｐｕｔ  ｆｉｂｅｒ  ｏｐｔｉｃ  ｔｉｐｓ」と題された特許公開公報第２００８０２１９６２９号；「Ｄｕａｌ  ｐｕｌｓｅ−ｗｉｄｔｈ  ｍｅｄｉｃａｌ  ｌａｓｅｒ」と題された特許公開公報第２００８０２１２６２４号；「Ｔａｒｇｅｔ−ｃｌｏｓｅ  ｅｌｅｃｔｒｏｍａｇｎｅｔｉｃ  ｅｎｅｒｇｙ  ｅｍｉｔｔｉｎｇ  ｄｅｖｉｃｅ」と題された特許公開公報第２００８０２０３２８０号；「Ｅｌｅｃｔｒｏｍａｇｎｅｔｉｃ  ｅｎｅｒｇｙ  ｏｕｔｐｕｔ  ｓｙｓｔｅｍ」と題された特許公開公報第２００８０１８１２７８号；「Ｅｌｅｃｔｒｏｍａｇｎｅｔｉｃ  ｅｎｅｒｇｙ  ｏｕｔｐｕｔ  ｓｙｓｔｅｍ」と題された特許公開公報第２００８０１８１２６１号；「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題された特許公開公報第２００８０１５７６９０号；「Ｅｌｅｃｔｒｏｍａｇｎｅｔ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題された特許公開公報第２００８０１５１９５３号；「Ｆｌｕｉｄ  ａｎｄ  ｌａｓｅｒ  ｓｙｓｔｅｍ」と題された特許公開公報第２００８０１３８７６４号；「Ｍｅｔｈｏｄｓ  ｆｏｒ  ｔｒｅａｔｉｎｇ  ｈｙｐｅｒｏｐｉａ  ａｎｄ  ｐｒｅｓｂｙｏｐｉａ  ｖｉａ  ｌａｓｅｒ  ｔｕｎｎｅｌｉｎｇ」と題された特許公開公報第２００８０１２５６７７号；「Ｍｅｔｈｏｄｓ  ｆｏｒ  ｔｒｅａｔｉｎｇ  ｈｙｐｅｒｏｐｉａ  ａｎｄ  ｐｒｅｓｂｙｏｐｉａ  ｖｉａ  ｌａｓｅｒ  ｔｕｎｎｅｌｉｎｇ」と題された特許公開公報第２００８０１２５６７６号；「Ｍｅｔｈｏｄｓ  ｆｏｒ  ｔｒｅａｔｉｎｇ  ｅｙｅ  ｃｏｎｄｉｔｉｏｎｓ」と題された特許公開公報第２００８００９７４１８号；「Ｍｅｔｈｏｄｓ  ｆｏｒ  ｔｒｅａｔｉｎｇ  ｅｙｅ  ｃｏｎｄｉｔｉｏｎｓ」と題された特許公開公報第２００８００９７４１７号；「Ｍｅｔｈｏｄｓ  ｆｏｒ  ｔｒｅａｔｉｎｇ  ｅｙｅ  ｃｏｎｄｉｔｉｏｎｓ」と題された特許公開公報第２００８００９７４１６号；「Ｃａｒｉｅｓ  ｄｅｔｅｃｔｉｏｎ  ｕｓｉｎｇ  ｔｉｍｉｎｇ  ���ｉｆｆｅｒｅｎｔｉａｌｓ  ｂｅｔｗｅｅｎ  ｅｘｃｉｔａｔｉｏｎ  ａｎｄ  ｒｅｔｕｒｎ  ｐｕｌｓｅｓ」と題された特許公開公報第２００８００７０１８５号；「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題された特許公開公報第２００８００６９１７２号；「Ｈｉｇｈ−ｅｆｆｉｃｉｅｎｃｙ，  ｓｉｄｅ−ｐｕｍｐｅｄ  ｄｉｏｄｅ  ｌａｓｅｒ  ｓｙｓｔｅｍ」と題された特許公開公報第２００８００６５０５７号；「Ｍｅｔｈｏｄｓ  ｆｏｒ  ｔｒｅａｔｉｎｇ  ｅｙｅ  ｃｏｎｄｉｔｉｏｎｓ」と題された特許公開公報第２００８００６５０５５号；「Ｍｅｔｈｏｄｓ  ｆｏｒ  ｔｒｅａｔｉｎｇ  ｈｙｐｅｒｏｐｉａ  ａｎｄ  ｐｒｅｓｂｙｏｐｉａ  ｖｉａ  ｌａｓｅｒ  ｔｕｎｎｅｌｉｎｇ」と題された特許公開公報第２００８００６５０５４号；「Ｍｅｔｈｏｄｓ  ｆｏｒ  ｔｒｅａｔｉｎｇ  ｅｙｅ  ｃｏｎｄｉｔｉｏｎｓ」と題された特許公開公報第２００８００６５０５３号；「Ｈｉｇｈ  ｅｆｆｉｃｉｅｎｃｙ  ｅｌｅｃｔｒｏｍａｇｎｅｔｉｃ  ｌａｓｅｒ  ｅｎｅｒｇｙ  ｃｕｔｔｉｎｇ  ｄｅｖｉｃｅ」と題された特許公開公報第２００８００３３４１１号；「Ｍｅｔｈｏｄｓ  ｆｏｒ  ｔｒｅａｔｉｎｇ  ｅｙｅ  ｃｏｎｄｉｔｉｏｎｓ」と題された特許公開公報第２００８００３３４０９号；「Ｍｅｔｈｏｄｓ  ｆｏｒ  ｔｒｅａｔｉｎｇ  ｅｙｅ  ｃｏｎｄｉｔｉｏｎｓ」と題された特許公開公報第２００８００３３４０７号；「Ｆｉｂｅｒ  ｔｉｐ  ｄｅｔｅｃｔｏｒ  ａｐｐａｒａｔｕｓ  ａｎｄ  ｒｅｌａｔｅｄ  ｍｅｔｈｏｄｓ」と題された特許公開公報第２００８００２５６７５号；「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題された特許公開公報第２００８００２５６７２号；「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題された特許公開公報第２００８００２５６７１号；「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題された特許公開公報第２００７０２９８３６９号；「Ｍｏｄｉｆｉｅｄ−ｏｕｔｐｕｔ  ｆｉｂｅｒ  ｏｐｔｉｃ  ｔｉｐｓ」と題された特許公開公報第２００７０２６３９７５号；「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」と題された特許公開公報第２００７０２５８６９３号；「Ｔｉｓｓｕｅ  ｔｒｅａｔｍｅｎｔ  ｄｅｖｉｃｅ  ａｎｄ  ｍｅｔｈｏｄ」と題された特許公開公報第２００７０２０８４０４号；「Ｃｏｎｔｒａ−ａｎｇｅｌ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題された特許公開公報第２００７０２０８３２８号；「Ｆｌｕｉｄ  ｃｏｎｄｉｔｉｏｎｉｎｇ  ｓｙｓｔｅｍ」と題された特許公開公報第２００７０１９０４８２号；「Ｃａｒｉｅｓ  ｄｅｔ��ｃｔｉｏｎ  ｕｓｉｎｇ  ｒｅａｌ−ｔｉｍｅ  ｉｍａｇｉｎｇ  ａｎｄ  ｍｕｌｔｉｐｌｅ  ｅｘｃｉｔａｔｉｏｎ  ｆｒｅｑｕｅｎｃｉｅｓ」と題された特許公開公報第２００７０１８４４０２号；「Ｏｕｔｐｕｔ  ａｔｔａｃｈｍｅｎｔｓ  ｃｏｄｅｄ  ｆｏｒ  ｕｓｅ  ｗｉｔｈ  ｅｌｅｃｔｒｏｍａｇｎｅｔｉｃ−ｅｎｅｒｇｙ  ｐｒｏｃｅｄｕｒａｌ  ｄｅｖｉｃｅ」と題された特許公開公報第２００７０１２８５７６号；「Ｆｉｂｅｒ  ｔｉｐ  ｆｌｕｉｄ  ｏｕｔｐｕｔ  ｄｅｖｉｃｅ」と題された特許公開公報第２００７０１０４４１９号；「Ｈｉｇｈ−ｅｆｆｉｃｉｅｎｃｙ，  ｓｉｄｅ−ｐｕｍｐｅｄ  ｄｉｏｄｅ  ｌａｓｅｒ  ｓｙｓｔｅｍ」と題された特許公開公報第２００７００６０９１７号；「Ｄｅｖｉｃｅ  ｆｏｒ  ｄｅｎｔａｌ  ｃａｒｅ  ａｎｄ  ｗｈｉｔｅｎｉｎｇ」と題された特許公開公報第２００７００５９６６０号；「Ｄｅｖｉｃｅ  ｆｏｒ  ｄｅｎｔａｌ  ｃａｒｅ  ａｎｄ  ｗｈｉｔｅｎｉｎｇ」と題された特許公開公報第２００７００５４２３６号；「Ｄｅｖｉｃｅ  ｆｏｒ  ｄｅｎｔａｌ  ｃａｒｅ  ａｎｄ  ｗｈｉｔｅｎｉｎｇ」と題された特許公開公報第２００７００５４２３５号；「Ｄｅｖｉｃｅ  ｆｏｒ  ｄｅｎｔａｌ  ｃａｒｅ  ａｎｄ  ｗｈｉｔｅｎｉｎｇ」と題された特許公開公報第２００７００５４２３３号；「Ｖｉｓｕａｌ  ｆｅｅｄｂａｃｋ  ｉｍｐｌｅｍｅｎｔｓ  ｆｏｒ  ｅｌｅｃｔｒｏｍａｇｎｅｔｉｃ  ｅｎｅｒｇｙ  ｏｕｔｐｕｔ  ｄｅｖｉｃｅｓ」と題された特許公開公報第２００７００４２３１５号；「Ｌａｓｅｒ  ｈａｎｄｐｉｅｃｅ  ａｒｃｈｉｔｅｃｔｕｒｅ  ａｎｄ  ｍｅｔｈｏｄｓ」と題された特許公開公報第２００７００１６１７６号；「Ｅｌｅｃｔｒｏｍａｇｎｅｔｉｃ  ｅｎｅｒｇｙ  ｅｍｉｔｔｉｎｇ  ｄｅｖｉｃｅ  ｗｉｔｈ  ｉｎｃｒｅａｓｅｄ  ｓｐｏｔ  ｓｉｚｅ」と題された特許公開公報第２００７００１４５１７号；「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題された特許公開公報第２０
０７００１４３２２号；「Ｄｅｖｉｃｅ  ｈａｖｉｎｇ  ａｃｔｉｖａｔｅｄ  ｔｅｘｔｕｒｅｄ  ｓｕｒｆａｃｅｓ  ｆｏｒ  ｔｒｅａｔｉｎｇ  ｏｒａｌ  ｔｉｓｓｕｅ」と題された特許公開公報第２００７０００９８５６号；「Ｔｉｓｓｕｅ  ｃｏｖｅｒｉｎｇｓ  ｂｅａｒｉｎｇ  ｃｕｓｔｏｍｉｚｅｄ  ｔｉｓｓｕｅ  ｉｍａｇｅｓ」と題された特許公開公報第２００７０００３６０４号；「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題された特許公開公報第２００６０２８１０４２号；「Ｃｏｎｔｒａ−ａｎｇｌｅ  ｒｏｔａｔｉｎｇ  ｈａｎｄｐｉｅｃｅ  ｈａｖｉｎｇ  ｔａｃｔｉｌｅ−ｆｅｅｄｂａｃｋ  ｔｉｐ  ｆｅｒｒｕｌｅ」と題された特許公開公報第２００６０２７５０１６号；「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｄｉｓｒｕｐｔｉｖｅ  ｃｕｔｔｉｎｇ」と題された特許公開公報第２００６０２４１５７４号；「Ｆｌｕｉｄ  ｃｏｎｄｉｔｉｏｎｉｎｇ  ｓｙｓｔｅｍ」と題された特許公開公報第２００６０２４０３８１号；「Ｆｉｂｅｒ  ｄｅｔｅｃｔｏｒ  ａｐｐａｒａｔｕｓ  ａｎｄ  ｒｅｌａｔｅｄ  ｍｅｔｈｏｄｓ」と題された特許公開公報第２００６０２１０２２８号；「Ｒａｄｉａｔｉｏｎ  ｅｍｉｔｔｉｎｇ  ａｐｐａｒａｔｕｓ  ｗｉｔｈ  ｓｐａｔｉａｌｌｙ  ｃｏｎｔｒｏｌｌａｂｌｅ  ｏｕｔｐｕｔ  ｅｎｅｒｇｙ  ｄｉｓｔｒｉｂｕｔｉｏｎｓ」と題された特許公開公報第２００６０２０４２０３号；「Ｄｕａｌ  ｐｕｌｓｅ−ｗｉｄｔｈ  ｍｅｄｉｃａｌ  ｌａｓｅｒ  ｗｉｔｈ  ｐｒｅｓｅｔｓ」と題された特許公開公報第２００６０１４２７４５号；「Ｉｄｅｎｔｉｆｉｃａｔｉｏｎ  ｃｏｎｎｅｃｔｏｒ  ｆｏｒ  ａ  ｍｅｄｉｃａｌ  ｌａｓｅｒ  ｈａｎｄｐｉｅｃｅ」と題された特許公開公報第２００６０１４２７４４号；「Ｍｅｄｉｃａｌ  ｌａｓｅｒ  ｈａｖｉｎｇ  ｃｏｎｔｒｏｌｌｅｄ−ｔｅｍｐｅｒａｔｕｒｅ  ａｎｄ  ｓｔｅｒｉｌｉｚｅｄ  ｆｌｕｉｄ  ｏｕｔｐｕｔ」と題された特許公開公報第２００６０１４２７４３号；「Ｄｕａｌ  ｐｕｌｓｅ−ｗｉｄｔｈ  ｍｅｄｉｃａｌ  ｌａｓｅｒ」と題された特許公開公報第２００６０１２６６８０号；「Ｃａｒｉｅｓ  ｄｅｔｅｃｔｉｏｎ  ｕｓｉｎｇ  ｔｉｍｉｎｇ  ｄｉｆｆｅｒｅｎｔｉａｌｓ  ｂｅｔｗｅｅｎ  ｅｘｃｉｔａｔｉｏｎ  ａｎｄ  ｒｅｔｕｒｎ  ｐｕｌｓｅｓ」と題された特許公開公報第２００６００９９５４８号；「Ｆｉｂｅｒ  ｔｉｐ  ｄｅｔｅｃｔｏｒ  ａｐｐａｒａｔｕｓ  ａｎｄ  ｒｅｌａｔｅｄ  ｍｅｔｈｏｄｓ」と題された特許公開公報第２００６００８３４６６号；「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題された特許公開公報第２００６００４３９０３号；「Ｔｉｓｓｕｅ  ｒｅｍｏｖｅｒ  ａｎｄ  ｍｅｔｈｏｄ」と題された特許公開公報第２００５０２８３１４３号；「Ｆｌｕｉｄ  ｃｏｎｄｉｔｉｏｎｉｎｇ  ｓｙｓｔｅｍ��と題された特許公開公報第２００５０２８１８８７号；「Ｍｏｄｉｆｉｅｄ−ｏｕｔｐｕｔ  ｆｉｂｅｒ  ｏｐｔｉｃ  ｔｉｐｓ」と題された特許公開公報第２００５０２８１５３０号；「Ｅｌｅｃｔｒｏｍａｇｎｅｔｉｃａｌｌｙ  ｉｎｄｕｃｅｄ  ｔｒｅａｔｍｅｎｔ  ｄｅｖｉｃｅｓ  ａｎｄ  ｍｅｔｈｏｄｓ」と題された特許公開公報第２００５０２５６５１７号；「Ｉｌｌｕｍｉｎａｔｉｏｎ  ｄｅｖｉｃｅ  ａｎｄ  ｒｅｌａｔｅｄ  ｍｅｔｈｏｄｓ」と題された特許公開公報第２００５０２５６５１６号；「Ｄｅｖｉｃｅ  ｆｏｒ  ｄｅｎｔａｌ  ｃａｒｅ  ａｎｄ  ｗｈｉｔｅｎｉｎｇ」と題された特許公開公報第２００４０１０６０８２号；「Ｍｅｔｈｏｄｓ  ｏｆ  ｕｓｉｎｇ  ａｔｏｍｉｚｅｄ  ｐａｒｔｉｃｌｅｓ  ｆｏｒ  ｅｌｅｃｔｒｏｍａｇｎｅｔｉｃａｌｌｙ  ｉｎｄｕｃｅｄ  ｃｕｔｔｉｎｇ」と題された特許公開公報第２００４００９２９２５号；「Ｅｌｅｃｔｒｏｍａｇｎｅｔｉｃ  ｒａｄｉａｔｉｏｎ  ｅｍｉｔｔｉｎｇ  ｔｏｏｔｈｂｒｕｓｈ  ａｎｄ  ｄｅｎｔｉｆｒｉｃｅ  ｓｙｓｔｅｍ」と題された特許公開公報第２００４００９１８３４号；「Ｔｉｓｓｕｅ  ｒｅｍｏｖｅｒ  ａｎｄ  ｍｅｔｈｏｄ」と題された特許公開公報第２００４００６８２５６  号；「Ｆｉｂｅｒ  ｔｉｐ  ｆｌｕｉｄ  ｏｕｔｐｕｔ  ｄｅｖｉｃｅ」と題された特許公開公報第２００３０２２８０９４号；「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題された特許公開公報第２００２０１４９３２４号；および、「Ｅｌｅｃｔｒｏｍａｇｎｅｔｉｃ  ｅｎｅｒｇｙ  ｄｉｓｔｒｉｂｕｔｉｏｎｓ  ｆｏｒ  ｅｌｅｃｔｒｏｍａｇｎｅｔｉｃａｌｌｙ  ｉｎｄｕｃｅｄ  ｍｅｃｈａｎｉｃａｌ  ｃｕｔｔｉｎｇ」と題された特許公開公報第２００２００１４８５５号。
【００３０】
前記公開された出願の全ての内容は、全体として引用することによって本明細書に組みこまれる。本明細書の開示は、特定の図示された実施形態を参照するが、当然のことながら、これらの実施形態は限定するものではなく一例として示されている。例えば、任意の放射線出力部（例えば、レーザー）、任意の流体出力部（例えば、水出力部）、および、任意の品質改良剤、粒子、薬剤など、および、それらの詳細または特徴、あるいは、方法、工程および技術を含む他の特徴は、全体的にまたは部分的に、任意の組み合わせまたは置き換えで、本発明の任意の非均等な別々の取り替えできない態様として、本明細書に記載または引用された任意の他の構造または工程とともに用いられる。全体的にまたは部分的に、本開示によって本発明の任意の部分（ｉ）によって動作可能であり、および／または、構築され、（ｉｉ）該任意の部分によって動作可能となるようにおよび／または構築されるように当業者により修正され、ならびに／または、（ｉｉｉ）該部分によってまたは該部分と組み合わせて実施／製造／使用される、文脈、この明細書、および、当業者の知識（それらの修正形態を含む）から明白なように相互には矛盾しない程度まで本発明の一部として特異的に熟慮され、開示され、および、主張された対応するまたは関連する構造および方法は、任意の順序および／または組み合わせで、（Ｉ）上記に開示された、または、示された構造と方法の任意の１以上、および／または、（ＩＩ）以下の特許請求の範囲とその一部の１以上の主題を含む。この開示を添付する意図は、添付の特許請求の範囲によってのみ限定される本発明の精神および範囲内にあるように、相互に排他的ではない程度まで、実施形態の全ての変更、変形、組み合わせ、順序、省略、置換、代替、および、均等物を含めるために、当業者の知識に従って構築されたこのような実施形態を有することである。
【図１】
0005616462.tif 000002
【図２】
0005616462.tif 000003
【図３】
0005616462.tif 000004
【図４】
0005616462.tif 000005